(57)【要約】【課題】ティッシュペーパーを引き抜く際の利便性を図り、特にあらゆる方向の位置からも容易にティッシュペーパーを引き抜くことができるティッシュボックス用ケースの提供を図る。【解決手段】ティッシュボックス用ケースであって、ティッシュボックスを挿入するための側面開口部を設けた筺型のケース本体と、その開口部を閉塞する蓋体とからなり、ケース本体内部は二個のティッシュボックスが挿入可能なスペースを備えるとともに、ケース本体における開口部に隣接した対向する両側面にそれぞれティッシュペーパー取出口を設けることで、ティッシュペーパーを両側面から取り出せるようにした構成を採用する。【選択図】図１
0003104281.tif 000002
【実用新案登録請求の範囲】
【請求項１】
ティッシュボックス用ケースであって、ティッシュボックスを挿入するための側面開口部を設けた筺型のケース本体と、その開口部を閉塞する蓋体とからなり、ケース本体内部は二個のティッシュボックスが挿入可能なスペースを備えるとともに、ケース本体における開口部に隣接した対向する両側面にそれぞれティッシュペーパー取出口を設けることで、ティッシュペーパーを両側面から取り出せるようにしたことを特徴とするティッシュボックス用ケース。
【請求項２】
前記ケース本体の下面の所定の箇所に滑り止め部材を備えたことを特徴とする請求項１に記載のティッシュボックス用ケース。
【請求項３】
前記ケース本体の上面に小物入れを設けたことを特徴とする請求項１または請求項２に記載のティッシュボックス用ケース。
【考案の詳細な説明】
【技術分野】
【０００１】
本考案は、ティッシュボックスを収納するケースに関するものである。
【背景技術】
【０００２】
従来から、ティッシュボックスを収納し装飾等に資するケースについて種々考案されている。そして、一般に広く使用されているティッシュボックスにおいて、ティッシュペーパーの取り出し口は通常、ティッシュボックスの上面に設けられていることから、ケースについても上面に取出口が設けられている。しかしながら、かかる従来のティッシュボックスを収納するケースによると、ティッシュペーパーを上方へ引き抜く必要があることから、遠い位置からティッシュペーパーを引き抜く場合に必要以上に体をティッシュペーパーのある方へ近づけなければならず、使用に際し不便な場合が多々あった。
【０００３】
上記問題点を解決するため、実開昭６３−１９９９８９号公報に示すような考案が提案されている。すなわち、ティッシュペーパーを側面より取り出せるようにしたものである。しかしながら、かかる考案では、ティッシュペーパーを側面から取り出せるようにしたことで、上方から取り出すよりも確かに体をティッシュペーパーのある方へ近づける必要はなくなるが、取出口とは反対にいる人にとってはかえって不便であり、実用性が全くない。
【特許文献１】実開昭６３−１９９９８９号公報
【考案の開示】
【考案が解決しようとする課題】
【０００４】
上記問題点に鑑み、本考案は、ティッシュペーパーを引き抜く際の利便性を図り、特にあらゆる方向の位置からも容易にティッシュペーパーを引き抜くことができるティッシュボックス用ケースを提供することを目的とする。
【課題を解決するための手段】
【０００５】
前記目的を達成するため、本考案は、ティッシュボックス用ケースであって、ティッシュボックスを挿入するための側面開口部を設けた筺型のケース本体と、その開口部を閉塞する蓋体とからなり、ケース本体内部は二個のティッシュボックスが挿入可能なスペースを備えるとともに、ケース本体における開口部に隣接した対向する両側面にそれぞれティッシュペーパー取出口を設けることで、ティッシュペーパーを両側面から取り出せるようにした構成となっている。
【０００６】
また、本考案は、前記ケース本体の下面の所定の箇所に滑り止め部材を備えた構成を採用することもできる。
【０００７】
さらに、本考案は、前記ケース本体の上面に小物入れが設けられている構成を採ることができる。
【考案の効果】
【０００８】
本考案にかかるティッシュボックス用ケースによれば、側面からティッシュペーパーを手前に引き抜くことができるため、従来のように遠い位置からティッシュペーパーを引き抜く場合に必要以上に体をティッシュペーパーのある方へ近づける必要がなくなり、利便性が格段に向上する。
【０００９】
また、本考案にかかるティッシュボックス用ケースによれば、対向する両側面からティッシュペーパーを引き抜くことが可能であるため、あらゆる方向の位置から容易にティッシュペーパーを引き抜くことができ、今までになかった大変便利なティッシュボックス用ケースを提供することとなる。
【考案を実施するための最良の形態】
【００１０】
以下、本考案にかかるティッシュボックス用ケースの実施形態を図面に基づいて説明する。
【００１１】
図１は、本考案にかかるティッシュボックス用ケース１の第一の実施形態を示す斜視図であり、図２は、該第一の実施形態にかかるティッシュボックス用ケースの部分断面図である。
【００１２】
第一の実施形態にかかるティッシュボックス用ケース１は、筺型のケース本体２と蓋体３とからなり、そのケース本体２の側面には開口部４が設けられてあって、その開口部４には該開口部４を閉塞するための前記蓋体３が配される構成となっている。ケース本体２の内部は、二個のティッシュボックスＴを挿入することができるスペースを備えており、実際の挿入において二個のティッシュボックスＴを区切るための仕切り体５がケース本体２の内部上面及び下面にそれぞれ設けられている。また、ケース本体２における開口部４に隣接した対向する両側面には、ティッシュペーパーＰを取り出すためのティッシュペーパー取出口２ａがそれぞれ設けられてあって、ケース本体２の内部に挿入されたティッシュボックスＴから、ティッシュペーパーＰが両側面のティッシュペーパー取出口２ａを通じて横に取り出すことができる構成となっている。
【００１３】
ケース本体２の側面に設けられた開口部４を蓋体３により閉塞する方法については、特に限定するものではなく、ヒンジ構造を利用して蓋体３をケース本体２と開閉自在に取り付けたりする方法等が考えられる。尚、図面では、開口部４におけるケース本体２の側面内側に溝２ｂを設け、その溝２ｂへ別体としての蓋体３を上から挿嵌させる構造を採用している。
【００１４】
ケース本体２の下面における所定の箇所には、滑り止め部材６を備えることが望ましい。かかる滑り止め部材６を備えることにより、実際にティッシュペーパーＰを横へ引き抜く場合に、その引き抜く力でケース本体２が動かされることはなく、滑り止め部材６が抵抗となって容易にティッシュペーパーＰを引き抜くことができるようになる。
【００１５】
本考案にかかるティッシュボックス用ケース１の実際の使用にあたっては、ケース本体２の側面に設けられた開口部４を閉塞している蓋体３を外し、該開口部４からケース本体２の内部へティッシュボックスＴを二個挿入する。その際、ティッシュボックスＴは、ケース本体２の側面に設けられたティッシュペーパー取出口２ａからティッシュペーパーＰを取り出せるよう、横向きにケース本体２内に装着される。そしてティッシュボックスＴを挿入した段階で再び蓋体３により開口部４を閉塞することによって、ティッシュボックス用ケース１は使用可能な状態となる。
【００１６】
図３は、本考案にかかるティッシュボックス用ケースの第二の実施形態を示す斜視図である。
【００１７】
第二の実施形態にかかるティッシュボックス用ケース１は、第一の実施形態と同様、筺型のケース本体２と蓋体３とからなり、そのケース本体２の側面には開口部４が設けられてあって、その開口部４には該開口部４を閉塞するための前記蓋体３が配される構成となっている。ケース本体２の内部は、二個のティッシュボックスＴを挿入することができるスペースを備えており、実際の挿入において二個のティッシュボックスＴを区切るための仕切り体５がケース本体２の内部上面及び下面にそれぞれ設けられている。また、ケース本体２における開口部４に隣接した対向する両側面には、ティッシュペーパーＰを取り出すためのティッシュペーパー取出口２ａがそれぞれ設けられてあって、ケース本体２の内部に挿入されたティッシュボックスＴから、ティッシュペーパーＰが両側面のティッシュペーパー取出口２ａを通じて横に取り出すことができる構成となっている。
【００１８】
第二の実施形態にかかるティッシュボックス用ケース１は、上記よりさらに、ケース本体２の上面に小物入れ１０を設けた構成となっている。かかる構成を採ることによって、ティッシュペーパーＰを側面から取り出すことで空いた上面を有効活用することができ、また、小物を探す際に本考案にかかるティッシュボックス用ケース１を見つければ自動的に小物も見つかることとなって、小物そのものを探すよりも大変便利であり、ひいては紛失物の発生を抑制する効果もある。
【００１９】
尚、図面では小物入れ１０内に仕切り板１１をケース本体２と一体的に設けた構成を採用した場合を示しているが、これに限定されるものではなく、仕切り板１１のないものや仕切り板１１の位置を自由に変更可能なもの等が考えられる。
【００２０】
また、ケース本体２の側面に設けられた開口部４を蓋体３により閉塞する方法及びケース本体２の下面における所定の箇所に滑り止め部材６を備えることについては、第一の実施形態と同様である。
【図面の簡単な説明】
【００２１】
【図１】本考案にかかるティッシュボックス用ケースの第一の実施形態を示す斜視図である。
【図２】本考案の第一の実施形態にかかるティッシュボックス用ケースの部分断面図である。
【図３】本考案にかかるティッシュボックス用ケースの第二の実施形態を示す斜視図である。
【符号の説明】
【００２２】
１    ティッシュボックス用ケース
２    ケース本体
２ａ  取出口
２ｂ  溝
３    蓋体
４    開口部
５    仕切り体
６    滑り止め部材
１０    小物入れ
１１    仕切り板
Ｔ    ティッシュボックス
Ｐ    ティッシュペーパー
【図１】
0003104281.tif 000003
【図２】
0003104281.tif 000004
【図３】
0003104281.tif 000005